(57)【特許請求の範囲】
【請求項１】
複数の箇所に分散配置され、それぞれ少なくとも１つの通信装置子局を収容する複数のＡＴＭノード装置と、前記複数のＡＴＭノード装置を管理制御し、通信装置親局を収容するＡＴＭセンタ装置と、前記ＡＴＭノード装置及び前記ＡＴＭセンタ装置をバス状またはループ上に接続する通信路手段とを具備する通信システムにおいて、
前記ＡＴＭセンタ装置は、
前記通信装置親局からの送信信号をＡＣ分岐手段によりシステム内の前記通信装置子局の数に分岐して入力することにより、前記通信装置親局からの送信信号を前記複数のＡＴＭノード装置を介してシステム内の全ての通信装置子局に一斉同報送信するとともに、
前記通信装置子局から前記通信装置親局への送信信号を前記複数のＡＴＭノード装置を介してそれぞれ異なる時間に順次受信して前記通信装置親局へ出力し、
前記ＡＴＭノード装置は、
前記通信装置子局から前記通信装置親局への送信信号をそれぞれ異なる時間に順次送信するとともに、
前記ＡＴＭセンタ装置から一斉同報送信された前記通信装置親局からの送信信号を受信して該ＡＴＭノード装置に収容される前記通信装置子局にそれぞれ出力し、
これにより前記通信装置親局と前記通信装置子局との間で１対複数の通信を行なう
ことを特徴とする通信システム。
【請求項２】
前記ＡＣ分岐手段は、
前記ＡＴＭセンタ装置内に内蔵され、
前記通信装置親局はモデムを介して１つの入出力ポートで前記ＡＴＭセンタ装置に接続される
ことを特徴とする請求項１記載の通信システム。
【請求項３】
複数の箇所に分散配置され、それぞれ少なくとも１つの通信装置子局を収容する複数のＡＴＭノード装置と、前記複数のＡＴＭノード装置を管理制御し、通信装置親局を収容するＡＴＭセンタ装置と、前記ＡＴＭノード装置及び前記ＡＴＭセンタ装置をバス状またはループ上に接続する通信路手段とを具備する通信システムにおいて、
前記ＡＴＭセンタ装置は、
前記通信装置親局からの送信信号を前記複数のＡＴＭノード装置に送信するとともに、
前記通信装置子局から前記通信装置親局への送信信号を前記複数のＡＴＭノード装置を介してそれぞれ異なる時間に順次受信して前記通信装置親局へ出力し、
前記ＡＴＭノード装置は、
前記通信装置子局から前記通信装置親局への送信信号をそれぞれ異なる時間に順次送信するとともに、
前記通信装置親局からの送信信号をＡＣ分岐手段により該ＡＴＭノード装置に収容された通信装置子局の数に分岐することにより、前記通信装置親局からの送信信号を該ＡＴＭノード装置に収容された全通信装置子局に対して一斉同報出力し、
これにより前記通信装置親局と前記通信装置子局との間で１対複数の通信を行なう
ことを特徴とする通信システム。
【請求項４】
前記ＡＣ分岐手段は、
前記ＡＴＭノード装置内に内蔵される
ことを特徴とする請求項４記載の通信システム。
【請求項５】
前記ＡＴＭノード装置は、
前記通信装置子局から前記通信装置親局への送信データに所定のダミーデータが付加された信号を入力することにより、該ＡＴＭノード装置内部での送信データのセル化時間を短縮してセル化遅延を減少させる
ことを特徴とする請求項１乃至４のいずれかに記載の通信システム。
【発明の詳細な説明】
【０００１】
【発明の属する技術分野】
本発明は、ＡＴＭ通信システムにおける一つの通信装置親局と複数の通信装置子局との間で１：ｎ通信を行なう通信システムに関するものである。
【０００２】
【従来の技術】
図１０は、１台の通信装置親局と複数台の通信装置子局による１：ｎ通信を行なう従来のこの種の通信システムを示したものである。
【０００３】
図１０において、通信装置子局１０の受信データはアンテナ１１にて受信され、無線機１２にてアナログ化され、アナログポート１３より通信装置子局１０に入出力される。
【０００４】
又、通信装置子局１０からの送信データはアナログポート１３より出力され、無線機１２にて無線化され、アンテナ１１より通信装置親局２０向けに送信される。
【０００５】
この際、通信装置子局１０からの送信データは複数の通信装置子局１０から同時に通信装置親局２０に送信されないよう、予め定められた値のタイマにより順次送信される。
【０００６】
通信装置親局２０の受信データはアンテナ２１にて受信され、無線機２２にてアナログ化され、アナログポート２３より通信装置親局２０に入力される。
【０００７】
図１１は、複数のＡＴＭノード装置３０−１〜３０−ｎ及び一つ又は複数のＡＴＭセンタ装置４０をバス状またはループ上に分散設置したＡＴＭ通信システム構成である。
【０００８】
複数のＡＴＭノード装置３０−１〜３０−ｎと一つ又は複数のＡＴＭセンタ装置４０は、光ファイバ等の通信路５０によりバス状またはループ上に接続され、ＡＴＭノード装置３０−１〜３０−ｎ及びＡＴＭセンタ装置４０には入出力ポート６０を介して一つ又は複数のローカル端末７０が接続される。
【０００９】
以上の構成において、前記ローカル端末７０からの送信データはＡＴＭノード装置３０−１〜３０−ｎ又はＡＴＭセンタ装置４０内部においてセル化され、ＡＴＭノード装置３０−１〜３０−ｎ又はＡＴＭセンタ装置４０の具備するＡＴＭスイッチにより然るべき方向の前記通信路５０に送信される。
【００１０】
又、ＡＴＭノード装置３０−１〜３０−ｎ及びＡＴＭセンタ装置４０は、前記通信路５０から受信したセルを前記ＡＴＭスイッチにより然るべき方向の前記通信路５０に送信するか、自装置に接続されるローカル端末７０に送信するかを決定する。
【００１１】
自装置に接続されるローカル端末７０に送信する場合は自装置内部においてデセル化し、入出力ポート６０よりローカル端末７０に送信する。
【００１２】
上記手段によりＡＴＭ通信システムに接続される任意のローカル端末７０間の通信を実現している。
【００１３】
上記ＡＴＭ通信システムにおいて、ローカル端末７０間で特に伝送遅延の少ないことが要求される場合には、セル化／デセル化方式にＡＡＬ１を用いることにより１：１の固定通信が行なわれるが、ＡＬＬ１を用いた方式においてもセル化時にある程度（送信データ６４ｋｂｐｓで６ｍｓｅｃ程度）のセル化遅延が有った。
【００１４】
【発明が解決しようとする課題】
本発明は、複数のＡＴＭノード装置及び一つ又は複数のＡＴＭセンタ装置をバス状またはループ上に分散設置したＡＴＭ通信システムに、ローカル端末としてつの通信装置親局と複数の通信装置子局を収容し、セル化／デセル化方式にＡＡＬ１を用いて伝送遅延の少ない１：ｎ通信を行なうことを目的とする。
【００１５】
【課題を解決するための手段】
上記目的を達成するため、請求項１の発明は、複数の箇所に分散配置され、それぞれ少なくとも１つの通信装置子局を収容する複数のＡＴＭノード装置と、前記複数のＡＴＭノード装置を管理制御し、通信装置親局を収容するＡＴＭセンタ装置と、前記ＡＴＭノード装置及び前記ＡＴＭセンタ装置をバス状またはループ上に接続する通信路手段とを具備する通信システムにおいて、前記ＡＴＭセンタ装置は、前記通信装置親局からの送信信号をＡＣ分岐手段によりシステム内の前記通信装置子局の数に分岐して入力することにより、前記通信装置親局からの送信信号を前記複数のＡＴＭノード装置を介してシステム内の全ての通信装置子局に一斉同報送信するとともに、前記通信装置子局から前記通信装置親局への送信信号を前記複数のＡＴＭノード装置を介してそれぞれ異なる時間に順次受信して前記通信装置親局へ出力し、前記ＡＴＭノード装置は、前記通信装置子局から前記通信装置親局への送信信号をそれぞれ異なる時間に順次送信するとともに、前記ＡＴＭセンタ装置から一斉同報送信された前記通信装置親局からの送信信号を受信して該ＡＴＭノード装置に収容される前記通信装置子局にそれぞれ出力し、これにより前記通信装置親局と前記通信装置子局との間で１対複数の通信を行なうことを特徴とする。
【００１６】
また、請求項２の発明は、請求項１の発明において、前記ＡＣ分岐手段は、前記ＡＴＭセンタ装置内に内蔵され、前記通信装置親局はモデムを介して１つの入出力ポートで前記ＡＴＭセンタ装置に接続されることを特徴とする。
【００１７】
また、請求項３の発明は、複数の箇所に分散配置され、それぞれ少なくとも１つの通信装置子局を収容する複数のＡＴＭノード装置と、前記複数のＡＴＭノード装置を管理制御し、通信装置親局を収容するＡＴＭセンタ装置と、前記ＡＴＭノード装置及び前記ＡＴＭセンタ装置をバス状またはループ上に接続する通信路手段とを具備する通信システムにおいて、前記ＡＴＭセンタ装置は、前記通信装置親局からの送信信号を前記複数のＡＴＭノード装置に送信するとともに、前記通信装置子局から前記通信装置親局への送信信号を前記複数のＡＴＭノード装置を介してそれぞれ異なる時間に順次受信して前記通信装置親局へ出力し、前記ＡＴＭノード装置は、前記通信装置子局から前記通信装置親局への送信信号をそれぞれ異なる時間に順次送信するとともに、前記通信装置親局からの送信信号をＡＣ分岐手段により該ＡＴＭノード装置に収容された通信装置子局の数に分岐することにより、前記通信装置親局からの送信信号を該ＡＴＭノード装置に収容された全通信装置子局に対して一斉同報出力し、これにより前記通信装置親局と前記通信装置子局との間で１対複数の通信を行なうことを特徴とする。
【００１８】
また、請求項４の発明は、請求項３の発明において、前記ＡＣ分岐手段は、前記ＡＴＭノード装置内に内蔵されることを特徴とする。
また、請求項５の発明は、請求項１乃至４のいずれかの発明において、前記ＡＴＭノード装置は、前記通信装置子局から前記通信装置親局への送信データに所定のダミーデータが付加された信号を入力することにより、該ＡＴＭノード装置内部での送信データのセル化時間を短縮してセル化遅延を減少させることを特徴とする。
【００１９】
【発明の実施の形態】
図１及び図２は本発明に係わる通信システムの概略構成図、図３および図４及び図５はＡＴＭセンタ装置の構成図、図６及び図７及び図８はＡＴＭノード装置の構成図、図９はダミーデータ挿入概念図である。
【００２０】
図１において、本発明の通信システムは、複数のＡＴＭノード装置３０−１〜３０−ｎ及び一つ又は複数のＡＴＭセンタ装置４０と、ＡＴＭノード装置３０−１〜３０−ｎ及びＡＴＭセンタ装置４０をバス状又はループ上に接続する通信路５０と、ＡＴＭノード装置及びＡＴＭセンタ装置４０の一つ又は複数の端末接続用の入出力ポート６０、６１と、ＡＴＭセンタ装置４０の入出力ポート６０に接続されるＡＣ分岐装置８０又は、ＡＴＭセンタ装置４０に内蔵されるＡＣ分岐回路８０と、ＡＣ分岐装置８０又はＡＣ分岐回路８０にモデム９０を介して接続される通信装置親局１００と、ＡＴＭノード装置３０−１〜３０−ｎの入出力ポート６１にモデム９１を介して接続される一つ又は複数の通信装置子局２００から構成される。
【００２１】
図３において、ＡＴＭセンタ装置４０は、装置４０に電源を供給する電源部４１、装置４０にクロックを供給するクロック部４２、装置４０全体の制御を行なうＣＰＵ部４３、通信装置親局１００との間の入出力を行なう入出力ポート６０、ＡＴＭセンタ装置４０内部と入出力ポート６０との間でアナログ−ディジタル変換を行なうアナログインタフェース４４、データのセル化／デセル化を行なうＡＡＬ１−ＬＳＩ４５、セルの交換を行なうＡＴＭスイッチ４６、ＡＴＭセンタ装置４０内部と通信路５０との間でセルの送受信を行なう送受信部４７、ＡＴＭスイッチ４６と送受信部４７及びＡＡＬ１−ＬＳＩ４５を結ぶスイッチポート４８から構成され、ＡＴＭセンタ装置４０のスイッチポート４８にＡＣ分岐装置８０が接続され、ＡＣ分岐装置８０には、モデム９０を介して通信装置親局１００が接続される。
【００２２】
又、図４では図３の構成のＡＣ分岐装置８０の代わりに複数のアナログインタフェース４４に接続されるＡＣ分岐回路８００が加わり、ＡＣ分岐回路８００に接続される入出力ポート６０へモデム９０を介して通信装置親局１００が接続される。
【００２３】
図３で、通信装置親局１００から送信されたデータはモデム９０にてアナログ化され、ＡＣ分岐装置８０にてＡＣ分岐装置８０に接続される全入出力ポート６０向けに分岐出力される。分岐出力されたデータはアナログインタフェース４４にてディジタル化され、ＡＡＬ１−ＬＳＩ４５にてセルデータになり、スイッチポート４８を介してＡＴＭスイッチ４６に入る。ここで、ＡＣ分岐装置８０は、モデム９０にてアナログ化されたデータをこのシステム内の全通信装置子局２００の数に対応して分岐する。また、ＡＡＬ１−ＬＳＩ４５は、ＡＣ分岐装置８０の４本の出力に対応して１個設けられているが、これはＡＡＬ１−ＬＳＩ４５として４個のデータを個別にセル化／デセル化できるように構成されたものを用いているからである。
【００２４】
ＡＴＭスイッチ４６では前記セルデータをスイッチポート４８を介して送受信部４７に送信し、送受信部４７では通信路５０に送出する。
【００２５】
又、通信装置子局２００から通信装置親局１００に宛てられたセルデータは通信路５０から送受信部４７で受信し、スイッチポート４８を介してＡＴＭスイッチ４６に入る。
【００２６】
ＡＴＭスイッチ４６では前記セルデータをスイッチポート４８を介してＡＡＬ１−ＬＳＩ４５に送信し、ＡＡＬ１−ＬＳＩ４５で前記セルデータはデセル化され、ＡＡＬ１−ＬＳＩ４５に接続される一つのアナログインタフェース４４にてアナログ化され、入出力ポート６０を介してＡＣ分岐装置８０に出力され、ＡＣ分岐装置８０からモデム９０を介してディジタル化されたデータが通信装置親局１００に送信される。
【００２７】
図４では、通信装置親局１００から送信されたデータはモデム９０にてアナログ化され、入出力ポート６０から入力されるＡＣ分岐回路８００に入る。ＡＣ分岐回路８００では前記データをＡＣ分岐回路８００に接続される全アナログインタフェース４４向けに分岐出力し、分岐出力されたデータはアナログインタフェース４４にてディジタル化される。以降は図３と同じ環境でセル化された前記データを通信路５０に送出する。
【００２８】
又、通信装置子局２００から通信装置親局１００に宛てられたセルデータは図３と同じ要領でデセル化された前記データが一つのアナログインタフェース４４に入力され、アナログインタフェース４４にてアナログ化され、ＡＣ分岐回路８００に入力される。ＡＣ分岐回路８００では前記データを入出力ポート６０に出力し、入出力ポート６０からモデム９０を介してディジタル化されたデータが通信装置親局１００に送信される。
【００２９】
図６において、ＡＴＭノード装置３０は、装置３０に電源を供給する電源部３１、装置３０にクロックを供給するクロック部３２、装置３０全体の制御を行うＣＰＵ部３３、通信装置子局２００との間の入出力を行なう入出力ポート６１、ＡＴＭノード装置３０内部と入出力ポート６１との間でアナログ−ディジタル変換を行なうアナログインタフェース３４、データのセル化／デセル化を行なうＡＡＬ１−ＬＳＩ３５、セルの交換を行なうＡＴＭスイッチ３６、ＡＴＭノード装置３０内部と通信路５０との間でセルの送受信を行なう送受信部３７、ＡＴＭスイッチ３６と送受信部３７及びＡＡＬ１−ＬＳＩを結ぶスイッチポート３８から構成され、ＡＴＭノード装置３０の入出力ポート６１にモデム９１及びダミーデータ挿入装置９２を介して通信装置子局２００が接続される。
【００３０】
図６では、通信装置子局２００から送信されたデータはダミーデータ挿入装置９２でダミーデータを挿入することにより予め定められた送信速度に変換され、モデム９１にてアナログ化され、入出力ポート６１を介してアナログインタフェース３４に入力される。
【００３１】
前記データはアナログインタフェース３４にてディジタル化され、ＡＡＬ１−ＬＳＩ３５にてセルデータになり、スイッチポート３８を介してＡＴＭスイッチ３６に入る。ＡＴＭスイッチ３６では前記セルデータをスイッチポート３８を介して送受信部３７に送信し、送受信部３７では通信路５０に送出する。
【００３２】
図１の通信システム内の全通信装置子局２００は予め定められたタイマ値により通信装置親局１００に対して順次送信を行ない、複数の通信装置子局２００が同時に通信装置親局１００に対して送信しないようになっている。
【００３３】
又、通信装置親局１００から各通信装置子局２００に宛てられたセルデータは通信路５０から送受信部３７で受信し、スイッチポート３８を介してＡＴＭスイッチ３６に入る。ＡＴＭスイッチ３６では前記セルデータをスイッチポート３８を介してＡＡＬ１−ＬＳＩ３５に出力し、ＡＡＬ１−ＬＳＩ３５では、前記セルデータをそれぞれデセル化し、ＡＡＬ１−ＬＳＩ３５に接続される各アナログインタフェース３４でそれぞれアナログ化して入出力ポート６１からそれぞれ出力する。
【００３４】
入出力ポート６１に接続されるモデム９１では前記アナログ化されたデータをディジタル化し、ダミーデータ挿入装置９２を介して通信装置子局２００に送信する。ここではダミーデータ挿入装置９２はデータの加工は一切行なわない。
【００３５】
以上説明した手段により、図１の通信システムにおいて、ＡＴＭ通信システムに収容される１つの通信装置親局１００と複数の通信装置子局２００との間で、通信装置親局１００からの送信データは複数の通信装置子局２００に一斉同報送信され、複数の通信装置子局２００から一つの通信装置親局１００への送信は、タイマにより順次送信される通信システムが実現できる。
【００３６】
図２において、本発明の通信システムは、複数のＡＴＭノード装置３０−１〜３０−ｎ及び一つ又は複数のＡＴＭセンタ装置４０と、ＡＴＭノード装置３０−１〜３０−ｎ及びＡＴＭセンタ装置をバス状またはループ上に接続する通信路と、ＡＴＭノード装置及びＡＴＭセンタ装置４０の一つ又は複数の端末接続用６０、６１の入出力ポートと、ＡＴＭノード装置３０−１〜３０−ｎの入出力ポート６１に接続されるＡＣ分岐装置８１又はＡＴＭノード装置３０−１〜３０−ｎに内蔵されるＡＣ分岐回路８１と、ＡＣ分岐装置８１又はＡＣ分岐回路８１にモデム９１を介して接続される一つ又は複数の通信装置子局２００と、ＡＴＭセタン装置４０の入出力ポート６０にモデム９０を介して接続される通信装置親局１００から構成される。
【００３７】
図５において、ＡＴＭセンタ装置４０は、装置４０に電源を供給する電源部４１、装置４０にクロックを供給するクロック部４２、装置４０全体の制御を行なうＣＰＵ部４３、通信装置親局１００との間の入出力を行なう入出力ポート６０、ＡＴＭセンタ装置４０内部と出力ポート６０との間でアナログ−ディジタル変換を行なうアナログインタフェース４４、データのセル化／デセル化を行なうＡＡＬ１−ＬＳＩ４５、セルの交換を行なうＡＴＭスイッチ４６、ＡＴＭセンタ装置４０内部と通信路５０との間でセルの送受信を行なう送受信部４７、ＡＴＭスイッチ４６と送受信部４７及びＡＡＬ１−ＬＳＩ４５を結ぶスイッチポート４６から構成され、ＡＴＭセンタ装置４０の入出力ポート６０にはモデム９０を介して通信装置親局１００が接続される。
【００３８】
図５では、通信装置親局１００から送信されたデータはモデム９０にてアナログ化され、入出力ポート６０からＡＴＭセンタ装置４０に入る。入出力ポート６０から入出力されたデータはアナログインタフェース４４にてディジタル化され、ＡＡＬ１−ＬＳＩ４５にてセルデータになり、スイッチポート４８を介してＡＴＭスイッチ４６に入る。ＡＴＭスイッチ４６では前記セルデータをスイッチポート４８を介して送受信部４７に送信し、送受信部４７では通信路５０に送出する。
【００３９】
又、通信装置子局２００から通信装置親局１００に宛てられたセルデータは通信路５０から送受信部４７で受信し、スイッチポート４８を介してＡＴＭスイッチ４６に入る。ＡＴＭスイッチ４６では前記セルデータをスイッチポート４８を介しＡＡＬ１−ＬＳＩ４５に送信し、ＡＡＬ１−ＬＳＩ４５で前記セルデータはデセル化され、ＡＡＬ１−ＬＳＩ４５に接続されるアナログインタフェース４４にてアナログ化され、入出力ポート６０から出力された前記データはモデム９０を介してディジタル化され、通信装置親局１００に送信される。
【００４０】
図７において、ＡＴＭノード装置３０は、装置３０に電源を供給する電源部３１、装置３０にクロックを供給するクロック部３２、装置３０全体の制御を行なうＣＰＵ部３３、通信装置子局２００との間の入出力を行なう入出力ポート６１、ＡＴＭノード装置３０内部と入出力ポート６１との間でアナログ−ディジタル変換を行なうアナログインタフェース３４、データのセル化／デセル化を行なうＡＡＬ１−ＬＳＩ３５、セル化の交換を行なうＡＴＭスイッチ３６、ＡＴＭノード装置３０内部と通信路５０との間でセルの送受信を行なう送受信部３７、ＡＴＭスイッチ３６と送受信部３７及びＡＡＬ１−ＬＳＩ３５を結ぶスイッチポート３８から構成され、ＡＴＭノード装置３０には、入出力ポート６１にＡＣ分岐装置８１及びＡＣ分岐装置８１からモデム９１及びダミーデータ挿入装置９２を介して通信装置子局２００が接続される。
【００４１】
又、図８では図７の構成のＡＣ分岐装置８１の代わりにアナログインタフェース３４に接続されるＡＣ分岐回路８１０が加わり、ＡＣ分岐回路８１０に接続される入出力ポート６１へモデム９１及びダミーデータ挿入装置９２を介して通信装置子局２００が接続される。
【００４２】
図７では、通信装置子局２００から送信されたデータはダミーデータ挿入装置９２でダミーデータを挿入することにより予め定められた送信速度に変換され、モデム９１にてアナログ化され、ＡＣ分岐装置８１を介して入出力ポート６１に送信される。
【００４３】
入出力ポート６１から入力された前記データはアナログインタフェース３４に入力され、アナログインタフェース３４にてディジタル化され、ＡＡＬ１−ＬＳＩ３５にてセルデータになり、スイッチポート３８を介してＡＴＭスイッチ３６に入る。
【００４４】
ＡＴＭスイッチ３６では前記セルデータをスイッチポート３８を介して送受信部３７に送信し、送受信部３７では通信路５０に送出する。
【００４５】
図２の通信システム内の全通信装置子局２００は予め定められたタイマ値により通信装置親局１００に対して順次送信を行ない、複数の通信装置子局２００が同時に通信装置親局１００に対して送信しないようになっている。
【００４６】
又、通信装置親局１００から通信装置子局２００に宛てられたセルデータは通信路５０から送受信部３７で受信し、スイッチポート３８を介してＡＴＭスイッチに入る。
【００４７】
ＡＴＭスイッチ３６では前記セルデータをスイッチポート３８を介しＡＡＬ１−ＬＳＩ３５に送信し、ＡＡＬ１−ＬＳＩ３５で前記セルデータはデセル化され、ＡＡＬ１−ＬＳＩ３５に接続される一つのアナログインタフェース３４にてアナログ化され、入出力ポート６１から出力される。
【００４８】
入出力ポート６１に接続されたＡＣ分岐装置８１では、ＡＣ分岐装置８１に接続された全モデム９１向けに前記データを送信及び、一つの入出力ポート６１を介しアナログインタフェース３４に送信する。
【００４９】
前記データを受信したモデム９１では前記データをディジタル化し、ダミーデータ挿入装置９２を介して通信装置子局２００に送信する。
【００５０】
ここではダミーデータ挿入装置９２はデータの加工は一切行なわない。
【００５１】
又、ＡＣ分岐回路８１からアナログインタフェース３４に送信された前記データは通信装置親局１００への送信時と同じ要領でセル化され、通信路５０を介して隣接するＡＴＭノード装置３０向けに送出される。
【００５２】
図８で、通信装置子局２００から送信されたデータは図７と同じ要領でダミーデータを挿入され、モデム９１にてアナログ化され、入出力ポート６１に送信される。
【００５３】
入出力ポート６１から入力された前記データはＡＣ分岐回路８１０を介し、アナログインタフェース３４に入力され、図７と同じ要領でセル化され、前記データを通信路５０に送出する。
【００５４】
図２の通信システム内の全通信装置子局２００は予め定められたタイマ値により通信装置親局１００に対して順次送信を行ない、複数の通信装置子局２００が同時に通信装置親局１００に対して送信しないようになっている。
【００５５】
又、通信装置親局１００から通信装置子局２００に対して宛てられたセルデータは、図７と同じ要領でデセル化された前記データが一つのアナログインタフェース３４に入力され、アナログインタフェース３４にてアナログ化され、ＡＣ分岐回路８１０に送信される。
【００５６】
ＡＣ分岐回路８１０では、ＡＣ分岐回路８１０に接続された全入出力ポート６１から前記データを出力及び、一つのアナログインタフェース３４に送信する。入出力ポート６１から出力された前記データは、入出力ポート６１に接続されたモデム９１でディジタル化され、ダミーデータ挿入装置９２を介して通信装置子局２００に送信される。
【００５７】
ここではダミーデータ挿入装置９２はデータの加工は一切行なわない。
【００５８】
又、ＡＣ分岐回路８１０からアナログインタフェース３４に送信された前記データは通信装置親局１００への送信と同じ要領でセル化され、通信路５０を介して隣接するＡＴＭノード装置３０向けに送出される。
【００５９】
以上説明した手段により、図２の通信システムにおいて、ＡＴＭ通信システムに収容される１つの通信装置親局１００と複数の通信装置子局２００との間で、通信装置親局１００からの送信データは複数の通信装置子局２００に一斉同報送信され、複数の通信装置子局２００から通信装置親局１００への送信は、タイマにより順次送信される通信システムが実現できる。
【００６０】
図９にてダミーデータ挿入手段及び挿入目的を説明する。
【００６１】
ダミーデータ挿入装置９２は、外部とのデータの送受信を行なう送受信部９３、あらかじめ定められた速度Ｎｂｐｓのダミーデータを挿入し、ＡＡＬ１−ＬＳＩ３５向け送信データの速度変換を行なうダミーデータ挿入部９４、装置９２に電源を供給する電源部９５から構成される。
【００６２】
図９で、通信装置子局２００から送信された送信速度Ｍｂｐｓの送信データは、ダミーデータ挿入装置９２の送受信部９３で受信され、ダミーデータ挿入部９４であらかじめ定められた速度Ｎｂｐｓのダミーデータが挿入されて、送受信部９３からＡＡＬ１−ＬＳＩ３５に対して出力される。
【００６３】
前記送信データは速度Ｍ＋ＮｂｐｓでＡＡＬ１−ＬＳＩ３５で受信され、ＡＡＬ１−ＬＳＩ３５内でセル化される。
【００６４】
ＡＡＬ１−ＬＳＩ３５は、ＡＴＭセルのデータ部のサイズである４８ｂｙｔｅ分のデータが蓄積されてからセル化を行なうため、送信データの速度がＭ＋Ｎｂｐｓの場合は４８×８÷（Ｍ＋Ｎ）秒のセル化遅延時間が生ずることになる。
【００６５】
速度Ｎｂｐｓのダミーデータを挿入することにより、セル化遅延を減少することができる。尚、Ｎの値については通信装置親局１００と通信装置子局２００との間の伝送遅延の許容値により決定する。
【００６６】
【発明の効果】
以上説明したように本発明の通信システムでは、複数のＡＴＭノード装置および一つ又は複数のＡＴＭセンタ装置をバス状またはループ上に分散設置したＡＴＭ通信システムにおいて、ＡＴＭセンタ装置の入出力ポートにＡＣ分岐装置を接続又は、ＡＴＭセンタ装置にＡＣ分岐回路を内蔵又は、ＡＴＭノード装置の入出力ポートにＡＣ分岐装置を接続又は、ＡＴＭノード装置にＡＣ分岐回路を内蔵することによりＡＴＭセンタ装置に接続される１つの通信装置親局とＡＴＭノード装置に接続される一つ又は複数の通信装置子局との間で１：ｎ通信を行なうことができる。
【００６７】
又、ＡＴＭノード装置の入出力ポートに接続されるモデムと通信装置子局との間にダミーデータ挿入装置を設け、ＡＴＭノード装置の入出力ポートに入力されるデータ伝送速度を速くすることによりＡＴＭノード装置内部での送信データのセル化時間を短縮し、セル化遅延を減少させることができる。
【図面の簡単な説明】
【図１】図１は、本発明に係わる通信システムの一実施の形態を示す概略構成図。
【図２】図２は、本発明に係わる通信システムの他の実施の形態を示す概略構成図。
【図３】図１に示したＡＴＭセンタ装置の一構成例を示すブロック図。
【図４】図１に示したＡＴＭセンタ装置の他の構成例を示すブロック図。
【図５】図２に示したＡＴＭセンタ装置の一構成例を示すブロック図。
【図６】図１に示したＡＴＭノード装置の一構成例を示すブロック図。
【図７】図２に示したＡＴＭノード装置の一構成例を示すブロック図。
【図８】図２に示したＡＴＭノード装置の他の構成例を示すブロック図。
【図９】ダミーデータ挿入部の一構成例を示すブロック図。
【図１０】１台の通信装置親局と複数台の通信装置子局による１：ｎ通信を行なう従来のこの種の通信システムを示したシステム構成図。
【図１１】複数のＡＴＭノード装置及び一つ又は複数のＡＴＭセンタ装置をバス状またはループ上に分散設置した従来のＡＴＭ通信システム構成図。
【符号の説明】
３０、３０−１〜３０−ｎ    ＡＴＭノード装置
４０    ＡＴＭセンタ装置
５０    通信路
６０、６１    入出力ポート
７０    ローカル端末
８０、８１、８１０    ＡＣ分岐装置
９０、９１    モデム
１００    通信装置親局
２００    通信装置子局
【図１】
0003560747.tif 000002
【図２】
0003560747.tif 000003
【図３】
0003560747.tif 000004
【図４】
0003560747.tif 000005
【図５】
0003560747.tif 000006
【図６】
0003560747.tif 000007
【図７】
0003560747.tif 000008
【図８】
0003560747.tif 000009
【図９】
0003560747.tif 000010
【図１０】
0003560747.tif 000011
【図１１】
0003560747.tif 000012